(57)【特許請求の範囲】
【請求項１】
重量ワークをクレーン等の吊下げ移動手段でテーブル等の基準面上に整合装着するに当り、両者の整合面に設置された複数個のキーブロックとキー溝とを利用して整合装着する装置において、
各キーブロックのキー溝への整合面にキー溝の幅と略同一寸法の外径をもつピンを整合方向に突出退入可能に設置し、常時、ばねによって整合面より突出した状態に付勢させ、かつ、上記キーブロックとキー溝との整合装着完了状態で上記ピンが上記キーブロック内に退入するようにしたことを特徴とする重量ワークの整合装着装置。
【発明の詳細な説明】
【０００１】
【発明の属する技術分野】
本発明は、プレス金型等の重量ワークをクレーン等で吊下げてプレス本体又は加工設備のテーブル等の基準面上に移動させ、その位置でクレーン等を操作しながら重量ワークを降下させて基準面上に整合装着する場合等に使用される重量ワークの整合装着装置に関するものである。
【０００２】
【従来の技術】
重量ワークを基準面に整合装着する場合、従来では、図２に示すように、基準面となるテーブル１の上面に設置されたキーブロック２に向けてワーク３のキー溝４を整合させるように降下させている。
【０００３】
キーブロック２は、テーブル１上に複数個設置されており、これらすべてを整合させる必要がある。プレス機械の場合では、センターに金型のセンターを整合させて取り付ける必要があるため、例えば、テーブル１にキー溝５をプレスセンターに対して十字状に形成し、この十字状のキー溝５に４個のキーブロック２を嵌め込み、使用する金型の大きさに応じてプレスセンターから所定の距離の位置にキーブロック２をスライド移動させて位置決め固定し、金型に形成されたキー溝４をキーブロック２に整合するように降下させて取り付けを行っている。
【０００４】
【発明が解決しようとする課題】
従来では、ワーク３のキー溝４をテーブル１上のすべてのキーブロック２に同時に整合させなければワーク３を降下させることができないため、多くの人手が必要となり、極端な場合には、各キーブロック２の位置毎に整合を監視する人手が必要であった。なお、各キーブロック２のうちの１つでも不整合であれば、ワーク３を降下セットすることができないばかりでなく、キーブロック２及びワーク３のキー溝４を破損させることになる。そのため、ワーク３の整合装着に時間もかかっていた。
【０００５】
そこで、本発明は、ワークの整合装着の人手を減らし、短時間で作業を行うことができ、キーブロック及びキー溝の破損も防止することができる重量ワークの整合装着装置を提供することを目的とする。
【０００６】
【課題を解決するための手段】
上記目的を達成すべく、本発明では、重量ワークをクレーン等の吊下げ移動手段でテーブル等の基準面上に整合装着するに当り、両者の整合面に設置された複数個のキーブロックとキー溝とを利用して整合装着する装置において、各キーブロックのキー溝への整合面にキー溝の幅と略同一寸法の外径をもつピンを整合方向に突出退入可能に設置し、常時、ばねによって整合面より突出した状態に付勢させ、かつ、上記キーブロックとキー溝との整合装着完了状態で上記ピンが上記キーブロック内に退入するようにしたものである。
【０００７】
ワークを降下させてテーブル等の基準面に整合させる際、キーブロックの整合面に突出しているピンにキー溝を接近当接させる。この場合、両者が正確に合致していなくてもピンがばねの弾力に抗して退入するため、キー溝及びピンが破損することはない。即ち、ピンとキー溝がおおよそ合致するような関係位置にワークを降下させ、ピンをわずかに退入させる。この位置でワークの降下を一旦停止し、ワークを少し押したり廻したりすることにより、ピンとキー溝が合致すると、その合致したところではピンがばねによって突出してキー溝に嵌り込み、各キーブロックの位置において、順次或いは同時進行的にこのような嵌まり込み動作が起こる。このようにしてすべてのキーブロックのピンとキー溝とが正確に合致したことを確認すると、ワークを最終位置まで降下させる。これにより、キーブロックのピンがキー溝に係合したままでばねの弾力に抗して退入し、キー溝をキーブロックに正確にガイドして整合させることができる。各キーブロックとキー溝とが一斉に整合するため、一人の作業者で重量ワークをテーブル等の基準面上に簡単な操作（少し押したり廻したりなどの操作）で短時間に正確に整合装着することができる。
【０００８】
【発明の実施の形態】
以下、本発明の実施形態を図１の（Ａ）（Ｂ）を参照して説明する。本発明は、図１の（Ａ）に示すように、ワーク３をクレーン等の吊下げ移動手段８でテーブル１等の基準面上に整合装着するに当り、両者の整合面３ａ、１ａに設置された複数個のキーブロック２とキー溝４とを利用して整合装着する。この場合、各キーブロック２のキー溝４への整合面２ａにキー溝４の幅と略同一寸法の外径をもつピン６を整合方向に突出退入可能に設置し、図１の（Ｂ）に示すように、常時、ばね７によって整合面２ａより突出した状態に付勢させたものである。図１の（Ｂ）において、２ｂはキーブロック２に形成したピン６の装着孔であり、２ｃはピン６の抜け止め用ストッパーであって、ピン６の回り止めも兼ねている。ピン６には上記ストッパー２ｃが係合するキー溝状の長溝６ａが外周面に形成してあり、また、ピン６の後端には、ばね７の一端を収容する凹孔６ｂが形成してある。キーブロック２のピン装着孔２ｂの後端には、ばね７の他端を受け止める蓋２ｄがビス止めしてある。ピン６の先端周囲は面取り加工等によってテーパー状の案内面とし、キー溝４への係合を容易とする。
【０００９】
図１の（Ａ）では、各キーブロック２をテーブル１のキー溝５に設置し、ワーク３にキー溝４を設けた場合を例示しているが、これとは逆にキーブロック２はワーク３側に設置してもよい。
【００１０】
本発明にかかる実施例装置は、上記構成からなり、ワーク３をテーブル１に整合装着する場合の作業要領を説明すると次の通りである。
【００１１】
クレーン等の吊下げ移動手段８を操作して、所定位置（例えば、プレス金型の装着の場合では、金型の格納場所等）からワーク３を水平に吊下げ支持してテーブル１上に移動させる。ワーク３の吊下げにはワイヤー８ａ等が使用される。続いて、上記位置でワーク３を降下させてテーブル１等の基準面に整合させる際、キーブロック２の整合面２ａに突出しているピン６にワーク３のキー溝４を接近当接させる。この場合、両者が正確に合致していなくてもピン６がばね７の弾力に抗して退入するため、キー溝４及びピン６が破損することはない。従って、ワーク３を降下させるとき、ピン６とキー溝４がおおよそ合致するような関係位置を目標としてワーク３を降下させ、ピン６がわずかに退入した高さくらいの位置でワーク３の降下を一旦停止する。そしてこの状態でワーク３を少し押したり廻したりすることにより、ピン６とキー溝４とを合致させる。
【００１２】
この場合、ピン６とキー溝４とが合致すると、その合致したところではピン６がばね７によって突出してキー溝４に嵌り込み、各キーブロック２の位置において、順次或いは同時進行的にこのような嵌まり込み動作が起こる。このようにしてすべてのキーブロック２のピン６とキー溝４とが正確に合致したことを確認した上で、ワーク３を最終位置まで降下させると作業は終了する。即ち、これにより、各キーブロック２のピン６がこれに対応するワーク３側の各キー溝４に係合したままでばね７の弾力に抗して退入し、すべてのキーブロック２の設置位置において、キー溝４をキーブロック２に正確にガイドして一斉に整合させることができる。この後、ワーク３からワイヤー８ａを外し、テーブル１にボルトやその他の取付手段によってワーク３を固着し、作業を行うことになる。
【００１３】
本発明は、プレス金型以外に重量の大きいワークを機械加工する場合や組み付けを行う場合等にも適用することができる。
【００１４】
【発明の効果】
本発明によれば、一人の作業者で重量ワークをテーブル等の基準面上に簡単な操作（少し押したり廻したりなどの操作）で短時間に正確に整合装着することができ、ワークの整合装着の人手を減らし、短時間で作業を行うことができ、キーブロック及びキー溝の破損も防止することができる。
【図面の簡単な説明】
【図１】（Ａ）は本発明にかかる実施例装置の要部概略斜視図、（Ｂ）はキーブロックとピンの関係を示す拡大断面図。
【図２】従来装置の要部概略斜視図。
【符号の説明】
１    テーブル
２    キーブロック
３    ワーク
４    キー溝
５    キー溝
６    ピン
７    ばね
８    クレーン等の吊下げ移動手段
【図１】
0003608186.tif 000002
【図２】
0003608186.tif 000003